(57)【要約】      （修正有）【課題】加温して使用するアイマスクにおいて、アイマスクの使用環境を制限することなく使用でるように、簡便に加温可能なアイマスク用加温装置を提供する。【解決手段】アイマスクは、内部にゲル状部材を充填させ、ゲル状部材を収容させた略平板状の収容体２を加温可能に構成する。アイマスク用加温装置１０は、収容体２全体を覆うように収容体２を収納可能な収納部１１と、収納部１１内において収容体２の少なくとも一方の面に近接して配置されて収容体２を加温可能とされる電気ヒータ部１４を備える。さらに、電気ヒータ部１４の外周側を覆うように収納部１１の内周側に配置される断熱材層１８と、電気ヒータ部１４から収納部１１外へ延びるとともに電源に接続される電源コード２０と、を備える。【選択図】図３
0003170618.tif 000002
【実用新案登録請求の範囲】
【請求項１】
内部にゲル状部材を充填させたアイマスクにおいて、該ゲル状部材を収容させた略平板状の収容体を加温可能とされるアイマスク用加温装置であって、
前記収容体全体を覆うように前記収容体を収納可能な収納部と、該収納部内において前記収容体の少なくとも一方の面に近接して配置されて前記収容体を加温可能とされる電気ヒータ部と、前記電気ヒータ部の外周側を覆うように前記収納部の内周側に配置される断熱材層と、前記電気ヒータ部から前記収納部外へ延びるとともに電源に接続される電源コードと、を備えることを特徴とするアイマスク用加温装置。
【請求項２】
前記電気ヒータ部が、前記収容体の表面側と裏面側とを覆うように、２枚配設されていることを特徴とする請求項１に記載のアイマスク用加温装置。
【請求項３】
前記電源コードが、パーソナルコンピュータに設けられるＵＳＢジャックに、接続可能に構成されていることを特徴とする請求項１又は２に記載のアイマスク用加温装置。
【請求項４】
前記電源コードが、車両に設けられるシガーライターソケットに、接続可能に構成されていることを特徴とする請求項１又は２に記載のアイマスク用加温装置。
【請求項５】
前記電源コードが、家庭用電源に接続可能に構成されていることを特徴とする請求項１又は２に記載のアイマスク用加温装置。
【考案の詳細な説明】
【技術分野】
【０００１】
本考案は、内部にゲル状部材を充填させたアイマスクにおいて、該ゲル状部材を収容させた略平板状の収容体を加温可能とされるアイマスク用加温装置に関する。
【背景技術】
【０００２】
従来、ゲル状部材を内蔵させたアイマスクとしては、疲労回復やリフレッシュのために、ゲル状部材を温めた状態で使用するものがあった。この従来のアイマスクでは、ゲル状部材を温めるためのヒータも一体化させていた（例えば、特許文献１及び２参照）。
【０００３】
また、アイマスクとしては、ゲル状部材自体を、電子レンジ等を使用して加温した状態で使用するものもあった。
【先行技術文献】
【特許文献】
【０００４】
【特許文献１】特開２００５−２３７７２４公報
【特許文献２】特開２００５−２８８０５６公報
【考案の概要】
【考案が解決しようとする課題】
【０００５】
しかし、上記特許文献１及び２に記載のアイマスクは、いずれも、ヒータから延びる電源コードを、電源に接続させてゲル状部材を温める構成であり、使用時に、アイマスクを顔に装着させた状態で、電源コードを電源に接続させる必要があった。また、仮に、ゲル状部材をヒータにより予め温めた状態で、電源コードを抜いた状態で使用する場合にも、ヒータを内蔵させていることから、アイマスク全体が、重く、かつ、嵩張ることとなって、装着時の使用感が良好ではなかった。また、ゲル状部材を電子レンジ等で温めて使用するタイプのアイマスクの場合、電子レンジ等が近くにない環境では使用しがたく、使用環境を制限するものであった。
【０００６】
本考案は、上述の課題を解決するものであり、アイマスクの使用環境を制限することなく、使用感の良好なアイマスクを簡便に加温可能なアイマスク用加温装置を提供することを目的とする。
【課題を解決するための手段】
【０００７】
本考案に係るアイマスク用加温装置は、内部にゲル状部材を充填させたアイマスクにおいて、ゲル状部材を収容させた略平板状の収容体を加温可能とされるアイマスク用加温装置であって、
収容体全体を覆うように収容体を収納可能な収納部と、収納部内において収容体の少なくとも一方の面に近接して配置されて収容体を加温可能とされる電気ヒータ部と、電気ヒータ部の外周側を覆うように収納部の内周側に配置される断熱材層と、電気ヒータ部から収納部外へ延びるとともに電源に接続される電源コードと、を備えることを特徴とする。
【０００８】
本考案のアイマスク用加温装置は、電源コードを電源に接続させれば使用できることから、電源さえ確保できれば、電子レンジ等の機器がない場所でも、使用することができ、使用環境を制限することなく、アイマスクを任意にどこでも温めることができる。また、本考案のアイマスク用加温装置は、アイマスクとは別体とされて、アイマスクにおけるゲル状部材を収容させた収容体を加温可能とされていることから、使用者は、この収容体のみを内蔵させたアイマスクを使用することができる。すなわち、本考案のアイマスク用加温装置で加温されるアイマスクは、従来のアイマスクのごとく、ヒータを内蔵させたものと比較して、軽く、かつ、嵩張らないことから、使用者に良好な使用感を与えることができ、疲労回復やリフレッシュに好適である。また、本考案のアイマスク用加温装置では、使用者は、ゲル状部材を収容させた収容体を収納部に収納させて、電源コードを電源に接続させるだけで、収容体を適切な温度に加温できることから、簡便にアイマスクを加温させることができる。
【０００９】
したがって、本考案のアイマスク用加温装置では、アイマスクの使用環境を制限することなく、使用感の良好なアイマスクを簡便に加温することができる。
【００１０】
また、本考案のアイマスク用加温装置において、電気ヒータ部を、収容体の表面側と裏面側とを覆うように、２枚配設させる構成とすれば、収容体を一層迅速に加温させることができて、好ましい。
【００１１】
さらに、上記構成のアイマスク用加温装置において、電源コードを、パーソナルコンピュータに設けられるＵＳＢジャックに、接続可能に構成すれば、パーソナルコンピュータ使用時に、ＵＳＢジャックに接続させることにより、収容体を加温させて、アイマスクを使用することができて、好ましい。
【００１２】
また、電源コードを、車両に設けられるシガーライターソケットに、接続可能に構成してもよく、この場合、車の中でも使用できることから、ドライブの休憩時等に、収容体を加温させたアイマスクにより、疲労回復やリフレッシュを図ることができて、好ましい。
【００１３】
勿論、電源コードを、家庭用電源に接続可能に構成に構成してもよく、この場合、住居等において、パーソナルコンピュータのない環境においても、好適に使用することができる。
【図面の簡単な説明】
【００１４】
【図１】本発明の一実施形態であるアイマスク用加温装置で加温可能なアイマスクの概略斜視図である。
【図２】図１のアイマスクの断面図である。
【図３】本発明の一実施形態であるアイマスク用加温装置を開いた状態を示す概略斜視図である。
【図４】図３のアイマスク用加温装置の断面図である。
【図５】実施形態のアイマスク用加温装置の内部にアイマスクを収納させた状態を示す断面図である。
【図６】実施形態のアイマスク用加温装置に使用可能な電源コードの他の例を示す斜視図である。
【図７】実施形態のアイマスク用加温装置に使用可能な変換アダプタの斜視図である。
【考案を実施するための形態】
【００１５】
以下、本考案の一実施形態を図面に基づいて説明する。実施形態のアイマスク用加温装置１０（以下「加温装置」と省略する）は、図３，４に示すように、内部にゲル状部材４を充填させたアイマスク１を加温させるためのものである。
【００１６】
実施形態の加温装置１０に使用されるアイマスク１は、図１，２に示すように、使用者の両目を覆い可能なアイマスク本体２と、アイマスク本体２を使用者の頭部に装着させるための装着させるための装着ゴム６と、を備えて構成されている。装着ゴム６は、中間部位を省略されているが、両端側を、アイマスク本体２の左右両端側に結合させている。
【００１７】
アイマスク本体２は、可撓性を有したシート材から構成されるもので、実施形態の場合、織布や不織布等から構成されている。このアイマスク本体２は、使用者の両目を周囲にかけて全域にわたって覆い可能なように、外形形状を、扁平な略瓢箪形の袋状とされている。アイマスク本体２に充填されるゲル状部材４は、実施形態の場合、図２に示すように、合成樹脂製のフィルムからなる内袋３に充填された状態で、アイマスク本体２内に収納されている。ゲル状部材４としては、汎用のものを使用することができる。
【００１８】
そして、実施形態の加温装置１０は、後述する収納部１１を、内部にアイマスク１全体を収納可能な大きさに構成されており、アイマスク本体２が、ゲル状部材４を収容させた収容体を構成することとなる。勿論、アイマスク本体２からゲル状部材４を充填させた内袋３を取り出し可能な構成として、ゲル状部材４を充填させた内袋３を収容体として、この内袋３のみを、加温装置１０により加温させてもよい。
【００１９】
加温装置１０は、図３〜５に示すように、アイマスク１（収容体）全体を覆うように収容体としてのアイマスク１を収納可能な収納部１１と、収納部１１内に配置される電気ヒータ部１４と、電気ヒータ部１４の外周側を覆うように収納部１１の内周側に配置される断熱材層１８と、電気ヒータ部１４から収納部１１外へ延びるとともに電源に接続される電源コード２０と、を備えている。
【００２０】
収納部１１は、実施形態の場合、ポリプロピレン等の合成樹脂製とされるとともに、アイマスク１全体を収納可能とされる扁平な略直方体状として構成されている。詳細には、収納部１１は、外形形状を同一として、それぞれ、一方の面を開口させた２つの扁平な直方体を、開口周縁を相互に突き合わせた状態で、短手方向側の一方の縁部で相互に回動可能に連結させることにより、開閉可能に、構成されるもので、剛性を有している。また、実施形態では、収納部１１の内周面には、略全面にわたって、起毛した布等からなる内装材１２が、貼着されている。この内装材１２は、電気ヒータ部１４作動時の収納部１１内の熱が外部に逃げるのを防止するために、配置されている。また、収納部１１は、厚さ寸法を、アイマスク１を内部に収納させた際に、図５に示すように、内部に配置される電気ヒータ部１４の後述する伝熱パネル１６とアイマスク１（アイマスク本体２）とを接触可能な寸法に、設定されている。
【００２１】
電気ヒータ部１４は、アイマスク１収納時にアイマスク１の表面側と裏面側とを覆うように、収納部１１における天井壁１１ａ側と底壁１１ｂ側とに、２枚配設されるもので、それぞれ、電源コード２０と接続されるとともに蛇腹状に蛇行して配置される電熱線１５と、電熱線１５の内側を覆う略長方形板状の伝熱パネル１６と、を、備えている（図３，４参照）。電熱線１５は断熱材層１８上に設置されるもので、所定の連結手段を用いて、断熱材層１８に連結されている。伝熱パネル１６は、アルミニウム等の金属製とされるもので、実施形態の場合、アイマスク本体２内に収納されるゲル状部材４を充填させた内袋３を略全面にわたって覆い可能な大きさに、設定されている。この電気ヒータ部１４は、サーモスタット機能を有しており、実施形態の場合、ゲル状部材４を充填させた内袋３を、４０〜５０℃程度の範囲内で加温可能に、構成されている。なお、実施形態の加温装置１０では、一方（図３における上側）の電気ヒータ部１４における電熱線１５は、他方（図３における下側）の電気ヒータ部１４の電熱線１５側に延びるように形成されて、この他方の電気ヒータ部１４側から、収納部１１外へ延びて、電源コード２０と接続されている。
【００２２】
電気ヒータ部１４の外周側を覆うように、収納部１１の内周側に配置される断熱材層１８は、実施形態の場合、ポリウレタン等の発泡合成樹脂から構成されるもので、外形形状を、伝熱パネル１６より大きな略長方形状とされている。詳細には、断熱材層１８は、それぞれ、収納部１１における天井壁１１ａと底壁１１ｂとの内周側を略全域にわたって覆うような大きさに、設定されている（図３，４参照）。この断熱材層１８は、実施形態の場合、接着剤等を用いて、内装材１２の内表面に、貼着されている。
【００２３】
電源コード２０は、上下両側の電気ヒータ部１４における各電熱線１５を連結させて構成されるもので、実施形態の場合、図３において下側に配置される電気ヒータ部１４の電熱線１５から収納部１１外へ延びるように構成されて、所定の長さを有している（図３参照）。実施形態の加温装置１０では、電源として起動状態のパーソナルコンピュータを使用するもので、電源コード２０の先端側には、パーソナルコンピュータに配置されるＵＳＢジャックに接続可能なＵＳＢコネクタ２１が、配置されている。
【００２４】
そして、実施形態の加温装置１０は、電源コード２０を電源に接続させれば使用できることから、電源さえ確保できれば、電子レンジ等の機器がない場所でも、使用することができ、使用環境を制限することなく、アイマスク１を任意にどこでも温めることができる。また、実施形態の加温装置１０は、アイマスク１とは別体とされて、アイマスク１におけるゲル状部材４を収容させた収容体（実施形態の場合、アイマスク１自体）を加温可能とされていることから、使用者は、この収容体のみを内蔵させたアイマスク１を使用することができる。すなわち、実施形態の加温装置１０で加温されるアイマスク１は、従来のアイマスクのごとく、ヒータを内蔵させたものと比較して、軽く、かつ、嵩張らないことから、使用者に良好な使用感を与えることができ、疲労回復やリフレッシュに好適である。また、実施形態の加温装置１０では、使用者は、ゲル状部材４を収容させた収容体（アイマスク１）を収納部１１に収納させて、電源コード２０を電源に接続させるだけで、収容体（アイマスク１）を適切な温度に加温できることから、簡便にアイマスク１を加温させることができる。
【００２５】
したがって、実施形態のアイマスク用加温装置１０では、アイマスク１の使用環境を制限することなく、使用感の良好なアイマスク１を簡便に加温することができる。
【００２６】
また、実施形態の加温装置１０では、電気ヒータ部１４を、収容体（アイマスク１）の表面側と裏面側とを覆うように、２枚配設させる構成としていることから、アイマスク１を一層迅速に加温させることができる。勿論、このような点を考慮しなければ、電気ヒータ部を、収容体の表面側若しくは裏面側の一方の面のみを覆うように、１枚配設させる構成としてもよい。なお、実施形態では、電気ヒータ部１４は、電熱線１５と伝熱パネル１６とから構成されているが、電気ヒータ部の構成はこれに限られるものではなく、通電時にジュール熱を発生できればよいことから、汎用の面状発熱体等を使用してもよい。
【００２７】
さらに、実施形態の加温装置１０では、パーソナルコンピュータに設けられるＵＳＢジャックに接続可能に、電源コード２０の先端にＵＳＢコネクタ２１を配設させていることから、パーソナルコンピュータ使用時に、ＵＳＢジャックに接続させることにより、アイマスク１を加温して、使用することができる。
【００２８】
また、電源コード２０Ａとして、図６に示すように、先端にシガーライター用プラグ２３を、配設させて、車両に設けられるシガーライターソケットに接続可能な構成のものを使用してもよく、この場合、車の中でも使用できることから、ドライブの休憩時等に、加温させたアイマスク１により、疲労回復やリフレッシュを図ることができる。
【００２９】
勿論、電源コードとして、通常の家庭用電源（ＡＣ電源）に接続可能に、ＡＣ電源用のプラグを備える構成のものを使用してもよい。また、ＡＣ電源を使用する場合、収納部側に差込み口を設けて、電源コードとして、携帯電話用の充電器を、援用してもよい。さらに、実施形態の加温装置１０の電源コード２０に、図７に示すようなＵＳＢ変換アダプタ２４を接続させて、実施形態の加温装置１０を、ＡＣ電源に接続させて使用してもよい。
【００３０】
なお、実施形態の加温装置１０では、収納部１１を、合成樹脂製の扁平な直方体形状として、剛性を有した構成としているが、収納部は、これに限られるものではなく、例えば、収納部として、ある程度の耐熱性と可撓性を有した布材やフィルム材、布材の間にスポンジ材を介在させたキルティング材等により、少なくとも一辺側を適宜ファスナ等によって開閉可能な袋状等に形成したものを、使用してもよい。さらに、断熱材層としても、収納室内部の熱を外周側に逃がさなければ、アルミ箔等から形成される反射シート等から形成されるものを使用してもよい。また、実施形態の加温装置１０では、収納部１１内にアイマスク１全体を収納してゲル状部材４を加温させているが、上述したごとく、ゲル状部材４を収容させた内袋３をアイマスク１から取り出して、単体で加温装置１０内に収納させて加温させてもよい。
【符号の説明】
【００３１】
１…アイマスク、
２…アイマスク本体（収容体）、
３…内袋（収容体）、
４…ゲル状部材、
１０…アイマスク用加温装置（加温装置）、
１１…収納部、
１４…電気ヒータ部、
１８…断熱材層、
２０…電源コード。
【図１】
0003170618.tif 000003
【図２】
0003170618.tif 000004
【図３】
0003170618.tif 000005
【図４】
0003170618.tif 000006
【図５】
0003170618.tif 000007
【図６】
0003170618.tif 000008
【図７】
0003170618.tif 000009